(57)【要約】【課題】従来の操作者判別手段は着脱自在であるが故、IDカードキー形態で操作者を判別する場合には、当該カードの紛失によりカード内データを複製される等、プライバシーを侵害される危険性があった。そこで、本発明は車載オーディオ装置の音質設定を操作者毎に車載オーディオ装置の保存領域に保存しておくことにより、操作者が理想とする音質設定を容易に再現することを可能とした車載オーディオ装置である。【解決手段】各操作者が自己識別コードを入力することにより車載オーディオ装置の音質状態が、保存領域に予め保存されている操作者毎の好みに応じた音質設定を再現することを可能とした車載オーディオ装置を提供することにより前記課題を解決する。【選択図】  図１
2006096210.tif 000002
【特許請求の範囲】
【請求項１】
車載用オーディオ装置における音質状態を変更する音質状態変更手段と、前記音質状態変更操作を行う操作者を判別する操作者判別手段と、各操作者の好みに応じた音質設定状態を記憶する保存手段と、を有する車載用オーディオ装置において、各操作者が自己識別コードを入力することにより車載用オーディオ装置の音質状態が予め保存されている各操作者毎の好みに応じた音質状態となるようにしたことを特徴とする車載用オーディオ装置。
【発明の詳細な説明】
【技術分野】
【０００１】
本発明は自動車等に搭載されるオーディオ装置に関するものであり、操作者が自己識別コードを用いて予め保存されている操作者毎の音質設定を保存部から読み込み、再現する機能に係る技術である。
【背景技術】
【０００２】
商用車や自家用車などは一台の車両をただ一人の操作者が利用するよりも、不特定多数の操作者が利用する場合が多い。そのため操作者が交代し、新たな操作者が自動車を利用する場合にはハンドルやシート位置だけではなく、操作者の趣味嗜好に伴い車載オーディオ装置の音質設定、カーナビゲーションの設定を変更しなくてはならなかった。とりわけオーディオやカーナビゲーションなどは、デジタル技術の進歩により多機能化と共に操作が複雑化してきているため、乗車する度に設定を変更するのは非常に煩わしい。
【０００３】
その煩わしさを解決するために操作者好みの音質・カーナビゲーション・空調等の設定を記憶させ、その設定情報を容易に再現することができる機能を備えた車載装置が知られている。(特許文献1)
上記発明は操作者設定情報を車載装置本体から着脱可能であるIDカードキーなどに保存し、持ち歩くことができるようにすることで、音質設定、空調設定、カーナビゲーションの設定・目的地の履歴等を、他者が閲覧できないよう、プライバシーを保護する機能を備えている。
【０００４】
【特許文献１】特開２００３−１３０６４９
【発明の開示】
【発明が解決しようとする課題】
【０００５】
しかし、従来の操作者判別手段は着脱自在であるが故、IDカードキー形態で操作者を判別した場合には、IDカードが嵩張るだけでなく、当該カードを紛失した場合にはカード内のデータを複製されるという危険性もある。また、IDカードキーとカードリーダーの読み取り部分の機構が複雑になるため故障し易く、加えてカードリーダーのレスポンスが遅くなる可能性がある、等の不安があった。
【０００６】
本発明はこれらの不安要素を克服するために考案されたものであり、その目的はプライバシー侵害の不安を取り除き、操作者にとって理想的な音質環境を提供するものである。
【課題を解決するための手段】
【０００７】
車載オーディオ装置における音質状態を変更する音質状態変更手段と、前記音質状態変更操作を行う操作者を判別する操作者判別手段と、各操作者の好みに応じた音質設定状態を記憶する保存手段と、を有する車載オーディオ装置において、各操作者が自己識別コードを入力することにより車載オーディオ装置の音質状態が予め保存されている操作者毎の好みに応じた音質設定を再現することを可能とした車載オーディオ装置を提供することにより前記課題を解決する。
【発明の効果】
【０００８】
本発明は、車載オーディオ装置内部に設けられた保存領域に操作者毎の音質設定情報を保存し、自己識別コードにより操作者毎の理想的な音質状態を容易に再現できるようにしたため、前記IDカードキーなどの着脱式操作者判別手段を設けることが不要である。
【０００９】
更に保存領域機能を付加したことにより、操作者の自己識別コードを他人に知られなければ操作者の設定情報が漏洩することは無いのでプライバシーの安全が保たれる。
【発明を実施するための最良の形態】
【００１０】
図1は本発明のブロック図である。図２は本発明のフローチャートを示している。以下、図１を用いて本発明を実施するための最良の形態について説明する。
【００１１】
まず、本発明に係る車載オーディオ装置は、音質状態変更機能を有するAM・FMラジオ、オーディオカセットプレイヤー、オーディオCDプレイヤー、オーディオMDプレイヤー、ＤＶＤプレイヤー等の音楽再生装置のうち、少なくとも一つを備えたものである。
【００１２】
また、本発明に係る実施の形態は商用車や自家用車など一台の車両を不特定多数の操作者が使用する場合に適用でき、運転者もしくは他の乗員が車載オーディオ装置の操作者となって、本発明を実施する。
【００１３】
図1に示すように、本発明に係る車載用オーディオ装置は、自己識別コード入力手段1、音質状態変更手段2、表示手段3、読み込み手段4、自動保存手段5、信号処理手段6、保存領域7を備えている。
【００１４】
自己識別コード入力手段1を用いて操作者が自己識別コードを入力すると、当該自己識別コードは信号処理手段6に送信される。
【００１５】
さらに、音質状態変更手段2を用いて操作者が車載オーディオ装置起動後に音質設定を変更した場合、当該音質設定情報も信号処理手段6に送信されることとなる。
【００１６】
表示手段3には操作者の操作状態や、音質状態が表示されることとなる。例えば、自己識別コード手段1により操作者の自己識別コードが入力された場合には、当該自己識別コードを表示し、音質状態変更手段2により音質設定が変更された場合には、当該音質設定情報を表示することとなる。
【００１７】
さらに表示手段3は、保存手段5により音質設定情報が保存領域7に対して保存されていることや、保存動作が完了したこと、又、読み込み手段4により音質設定情報が保存領域7から読み込まれていること、加えて読み込み動作が完了したこと等、車載オーディオ装置の処理状態についても表示することができる。
【００１８】
信号処理手段6は自己識別コード入力手段1から送信された自己識別コードを処理し、表示手段3に対し、自己識別コード表示の指示を送信すると共に、読み込み手段4に対し、入力された自己識別コードに該当する操作者の音質設定情報を保存領域7から読み込むための指示を送信する。
【００１９】
尚、保存領域7は内部に操作者毎の自己識別コードと音質設定情報とを関連付けて保存できる領域の他に初期出荷時の音質設定情報が格納されている。
【００２０】
読み込み手段4は信号処理手段6から音質設定情報の読み込み指示を受けると、その指示に該当する操作者の音質設定情報を保存領域7から読み込み、読み込み動作中であることと保存動作が完了したことを知らせる信号を信号処理手段6へと送信し、操作者の音質設定情報が再現されることとなる。
【００２１】
また、信号処理手段6は操作者が車載オーディオ装置起動後に音質設定を変更した場合に、音質状態変更手段2から送信された音質設定情報を処理する。表示手段3に対して音質設定変更内容を表示する指示を送信すると共に、変更した音質状態について操作者から保存の指示があった場合には保存手段5に対し、保存領域7に存在する該当操作者の音質設定情報に動作中の音質設定情報を上書き保存するよう指示を送信する。
【００２２】
保存手段5は信号処理手段6から送信された音質設定情報の保存指示に従い、保存領域7に存在する該当操作者の音質設定情報に動作中である音質設定情報を上書き保存し、保存動作中であることと保存動作が完了したことを知らせる信号を信号処理手段6に送信する。
【実施例１】
【００２３】
以下、図２を用いて本発明の実施例を説明する。
【００２４】
車載オーディオ装置が起動すると、自己識別コード画面への切り替えを数秒間受け付ける状態となり、自己識別コードの認証要求が行なわれるか否かを判別する（Ａ）。この時オーディオ装置に備え付けられた専用スイッチ等を押すことにより、自己識別コード入力画面へと切り替わる設定とすることが望ましい。音質状態に拘らない操作者のために自己識別コード入力画面を省略することで時間短縮が図れるからである。
【００２５】
一定時間が経過しても自己識別コードの認証要求が行なわれないならば（ＮＯ）、音質状態の設定は、初期設定あるいは前回にオーディオ装置が起動した際に設定された状態を再現することができる。その際、保存領域7に格納されている初期出荷時音質設定情報(以下、デフォルト設定と呼称する)を読み込み、オーディオ上で再現することが可能である。
【００２６】
自己識別コードの認証要求（Ａ）が行なわれ（ＹＥＳ）、自己識別コードを入力（Ｂ）し（ＹＥＳ）、決定（Ｃ）すると（ＹＥＳ）、自己識別コードに対応した音質設定情報が読み込み手段４を通じて保存領域７から読み込まれ、専車載オーディオ装置上で当該操作者の理想の音質状態が再現されることとなる。
【００２７】
尚、自己識別コードの認証要求（Ａ）が行なわれなかった場合（ＮＯ）や、自己識別コードを入力（Ｂ）しなかった場合（ＮＯ）、さらには決定（Ｃ）しなかった場合（ＮＯ）、音質状態の設定は、初期設定あるいは前回にオーディオ装置が起動した際に設定された状態を再現することができる。
【００２８】
オーディオ動作中に操作者が音質設定を変更する場合は、音質設定手段２を用いて変更を行なうことができる。即ち、BASS(低域補正)、TREBLE(高域補正)、FADE(前後補正)、BALANCE(左右補正)、の各音質設定スイッチを押すことで変更することも可能である。尚、各音質設定スイッチは従来から音質の設定手段として使用されている手段を用いることができ、プラス補正、マイナス補正が可能なように構成されていることが望ましい。又、スイッチ形態の他にも、回転式のつまみ形態等に変更することでプラスマイナスの補正を行うこととしてもよい。
【００２９】
変更後の音質設定情報を保存領域7に上書き（Ｅ‐ＹＥＳ、Ｆ‐ＮＯ）することも可能である。保存する際には、オーディオ装置に設けられているスイッチ等を使用して保存指示を保存手段５に行なうこともできるが、例えば起動時に自己識別コード認証要求を行なう際に使用した上記専用スイッチと他のスイッチを同時に押すことにより可能となることとしても良い。このように特定の機能を有したスイッチを、他のスイッチと組み合わせて押すことにより、本来とは異なる機能を発揮するようにして、音質設定情報を誤って保存してしまう行為を防ぐように複雑な保存方法とすることができる。尚、保存専用スイッチ等を設ければ操作の複雑化は避けられる。
【００３０】
当該変更後の音質設定情報を新規保存したい場合（Ｅ‐ＹＥＳ、Ｆ‐ＹＥＳ）は、新規自己識別コードを入力、決定し、音質情報と共に保存することができる。新規自己識別コード入力後に自己識別コードを確定・登録し、新規操作者の音質設定情報保存域を新たに保存領域7に作成する。尚、自己識別コードとして使用可能な文字はＡ〜Ｚのアルファベットと、０〜９のアラビア数字とすることができる。
【００３１】
尚、保存が不要の場合は（Ｅ‐ＮＯ）、そのまま終了することとなる。
【００３２】
仮に、車載オーディオ起動直後の自己識別コードを入力しない場合、保存領域7に格納されている初期出荷時音質設定情報(以下、デフォルト設定と呼称する)を読み込み、オーディオ上で再現することは上述したとおりであるが、上記デフォルト設定状態から操作者毎の好みの音質状態に変更（Ｇ）し（ＹＥＳ）、音質設定情報の保存を行うと（Ｈ‐ＹＥＳ）、新規自己識別コード入力画面へと進む。新規自己識別コード入力は上述した方法によって行なうため、省略する。
【図面の簡単な説明】
【００３３】
【図１】本発明の実施の形態に関する車載オーディオ装置要部のブロック図である。
【図２】本発明の実施例1に関する動作を示したフローチャートである。
【符号の説明】
【００３４】
１自己識別コード入力手段
２音質状態設定変更手段
３表示手段
４読み込み手段
５保存手段
６信号処理手段
７保存領域
【図１】
2006096210.tif 000003
【図２】
2006096210.tif 000004